(57)【要約】      （修正有）【課題】快適な手元作業を行うことができ、必要に応じて顔周辺及びミラーパネルの表面に風を吹き出すことができるミラー装置及びそれを用いた化粧台を提供する。【解決手段】ミラーキャビネット１は、前面が開口した箱型の収納キャビネット１０と、収納キャビネット１０の開口した前面を開閉するミラーパネル１１と、収納キャビネット１０の下端に設けられた送風装置２０とを備え、洗面ボウル部を有するカウンターの上方に設けられるミラーキャビネット１であって、送風装置２０は、洗面ボウル部からの臭気を含む空気が下方から吸い込まれる吸気口と、吸い込まれた空気を前方へと吹き出す送風口２４と、吸い込まれた空気の臭気を捕捉する脱臭フィルタと、を有する。【選択図】図１
2018068796.tif 000002
【特許請求の範囲】
【請求項１】
前面が開口した箱型の収納キャビネットと、前記収納キャビネットの開口した前面を開閉するミラーパネルと、前記収納キャビネットの下端に設けられた送風装置とを備え、洗面ボウル部を有するカウンターの上方に設けられるミラーキャビネットであって、
前記送風装置は、
前記洗面ボウル部からの臭気を含む空気が下方から吸い込まれる吸気口と、
吸い込まれた前記空気を前方へと吹き出す送風口と、
吸い込まれた前記空気の前記臭気を捕捉する脱臭フィルタと、
を有する
ミラーキャビネット。
【請求項２】
前記ミラーパネルの下端部は、前記収納キャビネットの下端よりも下方に突出し、
前記送風装置は、前記ミラーパネルの下端部よりも後ろ側に設けられる
請求項１に記載のミラーキャビネット。
【請求項３】
前記送風口は、吸い込まれた前記空気を斜め下方に傾斜する前方へ吹き出すものである請求項２に記載のミラーキャビネット。
【請求項４】
前記送風装置は、前記収納キャビネットの下端に設けられるケースと、前記ケースの内部に設けられる送風機と、を有し、
前記ケースの後面は、下端から上端へ後方に傾斜した形状であり、
前記吸気口は、前記ケースの後面に開口して形成され、
前記送風口は、前記ケースの前面に開口して形成され、
前記空気は、前記送風機により前記吸気口から前記ケースの内部に吸い込まれ、前記送風口から前記ケースの外へ吹き出される
請求項１ないし３のいずれか１項に記載のミラーキャビネット。
【請求項５】
前記送風装置は、前記収納キャビネットの下端に設けられるケースと、前記ケースの内部に設けられる送風機と、を有し、
前記吸気口は、前記ケースの下面に開口して形成され、
前記送風口は、前記ケースの前面に開口して形成され、
前記空気は、前記送風機により前記吸気口から前記ケースの内部に吸い込まれ、前記送風口から前記ケースの外へ吹き出される
請求項１ないし３のいずれか１項に記載のミラーキャビネット。
【請求項６】
前記ケースは、前記収納キャビネットの下端に沿った横長形状であり、
前記吸気口及び前記送風口は、前記ケースの長手方向に沿って横長状に開口している
請求項４または５に記載のミラーキャビネット。
【請求項７】
前記脱臭フィルタは、前記吸気口に設けられる
請求項４ないし６のいずれか１項に記載のミラーキャビネット。
【請求項８】
前記１ないし７のいずれか１項に記載のミラーキャビネットと、
前記洗面ボウルを有する前記カウンターと、を備える
洗面化粧台。
【発明の詳細な説明】
【技術分野】
【０００１】
本発明は、ミラーキャビネット及びこれを備える洗面化粧台に関する。
【背景技術】
【０００２】
従来から、洗面化粧台には、空気調和機能が一体的に構成され、洗面時に快適に化粧作業が行えるようにするものが知られている（例えば、特許文献１）。
【０００３】
特許文献１には、洗面化粧台の設置を容易化し、空気調整して洗面室内へ送風する技術が開示されている。
【先行技術文献】
【特許文献】
【０００４】
【特許文献１】特開平９−４６２号公報
【発明の概要】
【発明が解決しようとする課題】
【０００５】
近年、濡れた手の乾燥やマニキュアの乾燥などを洗面化粧台で行うことができるように、送風装置がキャビネットの下方に設けられることが望まれている。
【０００６】
しかしながら、特許文献１に記載の洗面化粧台では、鏡の下方から洗面室内へ送風するために、洗面化粧台の鏡の上方から空気を吸い込む構成となっている。そのため、洗面化粧台及び送風装置が大きくなりやすく、施工に広いスペースが必要である。また、送り込まれた空気には、洗面ボウル部に設けられた排水口からの臭気を吸い込むことが困難である。
【０００７】
そこで、本発明は、上記課題を鑑みてなされたものであって、送風装置を省スペースで容易に施工することができ、かつ臭気を抑制し、快適な空気を手元へ送り込むことができるミラーキャビネット及びこれを備える洗面化粧台を提供することを目的とする。
【課題を解決するための手段】
【０００８】
本発明に係るミラーキャビネットは、前面が開口した箱型の収納キャビネットと、前記収納キャビネットの開口した前面を開閉するミラーパネルと、前記収納キャビネットの下端に設けられた送風装置とを備え、洗面ボウル部を有するカウンターの上方に設けられるミラーキャビネットであって、前記送風装置は、前記洗面ボウル部からの臭気を含む空気が下方から吸い込まれる吸気口と、吸い込まれた前記空気を前方へと吹き出す送風口と、吸い込まれた前記空気の前記臭気を捕捉する脱臭フィルタと、を有する。
【０００９】
本発明に係る洗面化粧台は、上記ミラーキャビネットと、前記洗面ボウルを有する前記カウンターと、を備える。
【発明の効果】
【００１０】
上記構成により、省スペースで施工することができ、かつ臭気を抑制し、空気を快適に室内側へ送り込むことができる。
【図面の簡単な説明】
【００１１】
【図１】図１は、実施の形態に係るミラーキャビネット１の正面斜視図である。
【図２】図２は、実施の形態に係るミラーキャビネット１の背面斜視図である。
【図３】図３は、実施の形態に係る脱臭フィルタ２５の外観斜視図である。
【図４】図４は、実施の形態に係る洗面化粧台２の側面図である。
【図５】図５は、実施の形態に係る送風装置２０のケース２１の変形例を示すミラーキャビネット１の正面斜視図である。
【発明を実施するための形態】
【００１２】
以下に示す実施の形態は、ミラーキャビネット１及びこれを備えた洗面化粧台２に関する。
【００１３】
［実施の形態］
（洗面化粧台）
洗面化粧台２は、図４に示されるように、洗面所等の部屋の壁Ｗに沿って床に設置される。なお、以下では、洗面化粧台２について、洗面化粧台２が設置された状態における方向を用いて説明する。すなわち、洗面化粧台２から壁に向かう方向を後方とし、壁から洗面化粧台２に向かう方向を前方とする。また、洗面化粧台２を前方から見たときを基準として左右方向を定義する。
【００１４】
洗面化粧台２の利用者は、洗面化粧台２の前方に立って洗面化粧台２を利用する。洗面化粧台２は、ミラーキャビネット１と、化粧台キャビネット３０とを具備している。
【００１５】
（化粧台キャビネット）
化粧台キャビネット３０は、台本体３１と、カウンター３２とを備えている。台本体３１は、壁に沿って床に設置される。台本体３１の内部には、収納空間が形成されている。台本体３１の前面は、収納空間の前方を閉塞する複数の扉で構成されている。
【００１６】
台本体３１の上端部には、板状のカウンター３２が設けられている。カウンター３２は、平坦な上面を有している。カウンター３２の上面は、台本体３１の上面を構成している。
【００１７】
カウンター３２には、上方に開口した椀状の洗面ボウル部３３が形成されている。このとき、カウンター３２には、洗面ボウル部３３に水を供給する水栓装置３４が設けられ、洗面ボウル部３３には、水栓装置３４から供給された水を排出する排水口３５が設けられている。
【００１８】
（ミラーキャビネット）
ミラーキャビネット１は、洗面ボウル部３３を有するカウンター３２の上方に設けられ、図１または図２に示すように、収納キャビネット１０と送風装置２０とを備える。
【００１９】
（収納キャビネット）
収納キャビネット１０は、壁に沿ってカウンター３２の上方に設置される。
【００２０】
収納キャビネット１０は、正面視矩形の箱状に形成されている。収納キャビネット１０は、前方に開口した凹状の収納部を有している。収納部の内側には、物品を収納するための空間が形成されている。収納部の前端には開口部が形成されており、この開口部を通じて空間は前方に開放される。
【００２１】
収納キャビネット１０には、前面が鏡面となった矩形板状のミラーパネル１１が、収納部の開口部を開閉する扉として設けられる。ミラーパネル１１は、蝶番を介して収納部の左端部に、上下軸回り方向に回転可能に連結されており、開閉可能である。ここで、上下軸回り方向とは、上下方向と平行な回転軸を中心に回転する方向である。
【００２２】
ミラーパネル１１は、収納部の前面の全体に亘っている。ミラーパネル１１が開かれることで、収納部は前方に開放される。これにより、洗面化粧台２の利用者は、収納部の空間に物品を出し入れすることが可能になる。ミラーパネル１１が閉じられることで、収納部および収納部に収納された物品は、ミラーパネル１１によって前側から覆われる。
【００２３】
ミラーパネル１１の下端部は、収納キャビネット１０の下端面よりも下方に突出する突出部１３を有する。
【００２４】
本実施の形態における収納キャビネット１０底板部１２の後端部には、さらに照明装置１４が設けられている。照明装置１４は、下方に向けて光を発する光源を備えている。光源としては、例えば発光ダイオード、蛍光灯、白熱電球等が用いられる。
【００２５】
（送風装置）
送風装置２０は、収納キャビネット１０の下端面に設けられ、ミラーパネル１１よりも後方に位置する。すなわち、カウンター３２と収納キャビネット１０との間に配置される。
【００２６】
本実施の形態において、送風装置２０は、収納キャビネット１０の下端面にあたる底板部１２に取り付けられている。
【００２７】
送風装置２０は、図１または図２に示すように、ケース２１と、ケース２１の内部に設けられた送風機２２と、有し、ケース２１には、吸気口２３と、送風口２４と、脱臭フィルタ２５とが設けられる。
【００２８】
（ケース）
ケース２１は、送風装置２０の外面を構成している。ケース２１は、正面視矩形状で、左右方向に延びた箱状に形成されている。
【００２９】
ケース２１は、上面が収納キャビネット１０の下端面に接した状態で、例えば複数のビスにより取り付けられている。ケース２１は、収納キャビネット１０の下端面の左右方向の全長に亘っている。
【００３０】
本実施の形態では、ケース２１は、収納キャビネット１０の底板部１２に取り付けられる。
【００３１】
ケース２１の上部は、ミラーパネル１１の突出部１３の後方に位置しており、突出部１３により前側が一部覆われている。ケース２１の下部は、ミラーパネル１１よりも下方に位置しており、前側が一部露出している。
【００３２】
ここで、送風装置２０の利用において十分な量の風を発生させるために大型の送風機２２を用いた場合、ケース２１が大型になりやすい。しかし、本実施の形態では、図１に示すように、ミラーパネル１１の突出部１３がケース２１の一部に被さるように配置される。このため、利用者はケース２１の大きさが気になりにくくなり、送風装置２０がスリムに見える。したがって、本実施の形態の洗面化粧台２は、全体として見栄えが良い。
【００３３】
ケース２１の前端は、収納キャビネット１０の前面よりも後方に位置している。ケース２１の後端は、収納キャビネット１０の後端よりも前方に位置している。
【００３４】
ケース２１の後端には、後壁部２１１が形成されている。ケース２１の後面は、後壁部
２１１の外面である。ケース２１の後壁部２１１は、上端に近い部分ほど後方に位置するように傾斜している。
【００３５】
後壁部２１１には、送風機２２の運転時においてケース２１外の空気をケース２１内に吸い込む吸気口２３が形成されている。吸気口２３は、後壁部２１１を厚み方向に貫通し、後斜め下方に向かって開口している。上述したように、ケース２１の後壁部２１１は、上端に近い部分ほど後方に位置するように傾斜している。このため、ケース２１の下側の空気は、吸気口２３に吸い込まれやすくなっている。
【００３６】
ケース２１の前端には、前壁部２１２が形成されている。ケース２１の前面は、前壁部２１２の外面である。ケース２１の前壁部２１２は、収納キャビネット１０の前面と平行であり、前後方向に対して垂直である。
【００３７】
前壁部２１２には、送風機２２の運転時において発生した風をケース２１の前方に吹き出す送風口２４が設けられている。
【００３８】
送風口２４は、前壁部２１２の下部に設けられており、ミラーパネル１１よりも下方に位置している。
【００３９】
吸気口２３及び送風口２４については、以下で詳細を述べる。
【００４０】
（送風機）
ケース２１の内部には、吸気口２３と送風口２４とを繋ぎ、吸気口２３と送風口２４とを通じさせる通気路が形成されている。この通気路には、ケース２１の外部の空気を、吸気口２３からケース２１内に吸い込んで、送風口２４から前方に向かって吹き出す送風機２２が設けられている。本実施の形態の送風機２２は、左右方向に延びたクロスフローファンである。また、通気路には、吸い込んだ空気に含まれる臭気を脱臭するための脱臭フィルタ２５が設けられる。
【００４１】
脱臭フィルタ２５については、以下で詳細を述べる。
【００４２】
（吸気口）
図２に示すように、ケース２１の後壁部２１１には、空気を吸い込むための吸気口２３が設けられている。
【００４３】
吸気口２３は、後壁部２１１を厚み方向に貫通し、収納キャビネット１０の下方に向かって開口している。吸気口２３は、ケース２１の長手方向、すなわち左右方向に延びた矩形状の孔である。
【００４４】
なお、吸気口２３には、脱臭フィルタ２５を設けるための係合部が設けられていることが好ましい。
【００４５】
（送風口）
図１に示すように、ケース２１の前壁部２１２には、送風機２２から送られてきた風を吹き出す送風口２４が設けられている。
【００４６】
送風口２４は、前壁部２１２を厚み方向に貫通し、ミラーパネル１１の前方に向かって開口している。送風口２４は、ケース２１の長手方向、すなわち左右方向に延びた矩形状の孔である。送風口２４は、前壁部２１２の下部に設けられており、ミラーパネル１１よりも下方に位置している。
【００４７】
送風口２４は、送風機２２から送られてきた風をミラーパネル１１より、斜め下方に傾斜する前方へ吹き出されることが好ましい。
【００４８】
送風口２４には、送風口２４から吹き出される風の向きを変更する風向変更部が設けられている。風向変更部は、上下方向に並んだ複数の羽板２４１を備えている。複数の羽板２４１の各々は、左右方向に延びており、送風口２４の左右方向の全長に亘っている。各羽板２４１は、ケース２１に対して左右軸回り方向に回動可能に設けられている。ここで、左右軸回り方向とは、左右方向と平行な回転軸を中心に回動する方向である。
【００４９】
ケース２１の前壁部２１２には、複数の羽板２４１に連結された操作部材２４２が設けられている。操作部材２４２は、前壁部２１２の下部に設けられており、送風口２４と同じ高さに設けられている。操作部材２４２は、ミラーパネル１１よりも下方に位置している。利用者は、操作部材２４２を手で操作することで、複数の羽板２４１を左右軸回り方向に回動できる。これにより、送風口２４から吹き出される風の向きが上下に変更される。
【００５０】
（脱臭フィルタ）
吸気口２３と送風口２４とを通じさせる通気路には、図３に示すような脱臭フィルタ２５が取り付けられる。
【００５１】
脱臭フィルタ２５は、例えばフィルタケース２５３に収納され、吸気口２３に設けられた係合部にフィルタケース２５３を係合することで、脱臭フィルタ２５が吸気口２３に取り付けられる。
【００５２】
脱臭フィルタ２５は、例えば、図３に示すように、ハニカム構造体形状である。脱臭フィルタ２５は、平面状の基材フィルタ２５１ａと波形状の基材フィルタ２５１ｂとを交互に積層し、基材フィルタ２５１ａ、２５１ｂ同士を接着した構成であり、基材フィルタ２５１ａ、２５１ｂ間を通気方向２５０に沿って通気することができる。脱臭フィルタ２５は、通気方向２５０に対して垂直な側面が吸気口２３の開口形状と略同形状であり、通気方向２５０に厚さを有する直方体形状である。
【００５３】
基材フィルタ２５１ａ、２５１ｂは、例えば、ポリエチレンテレフタレートを代表とするポリエステル繊維などの有機繊維から構成される。また、基材フィルタ２５１ａ、２５１ｂの表面に物理吸着作用を有する吸着剤 （ 以下、本実施の形態では物理吸着剤という）および触媒作用を有する酸化物（ 以下、本実施の形態では触媒酸化物という）を担持することが好ましい。
【００５４】
物理吸着剤や触媒酸化物は、基材フィルタ２５１ａ、２５１ｂにアンカー効果もしくは物理的な結合もしくは化学的な結合などの作用により結合させ、担持されている。
【００５５】
物理吸着剤には、例えばゼオライト、シリカゲル、セピオライト、アルミナ、活性炭等の物理吸着作用を有する物質が用いられる。これにより、非極性の臭気分子も吸着するようになり、また雰囲気の湿度に依存することなく臭気分子を吸脱着できるため、多様な臭気分子を吸脱着できる脱臭体を実現できる。
【００５６】
触媒酸化物には、例えば、遷移元素を含み触媒作用を有する酸化物で、周期表の３族〜１２族へ属する繊維元素の酸化物あるいは複合酸化物が用いられる。
【００５７】
吸い込まれた空気は、通気方向２５０に沿って脱臭フィルタ２５を通過し、脱臭フィル
タ２５によって空気に含まれる臭気が捕捉される。
【００５８】
また、脱臭フィルタ２５の吸気口２３側側面には、粉塵フィルタ２５２がさらに設けられ、粉塵フィルタ２５２によって、吸気口２３から吸い込まれた空気中に含まれる塵や埃などを捕捉することが好ましい。
【００５９】
なお、脱臭フィルタ２５は、吸気口２３に設けられるものとしたが、吸気口２３と送風口２４とを通じさせる通気路において臭気が除去できる構成であれば、脱臭フィルタ２５の配置位置はこれに限るものではない。例えば、ケース２１の内壁に取り付けられ、通気路において脱臭できるように設けられていてもよい。
【００６０】
（操作部）
ケース２１には、送風機２２を操作するための操作部が設けられている。操作部は、図に示すように、第１操作部２６１および第２操作部２６２を備えている。第１操作部２６１は、送風機２２の運転の開始と停止を切替えるために用いられる。第２操作部２６２は、送風機２２の送風量を変更するために用いられる。
【００６１】
第１操作部２６１および第２操作部２６２は、ケース２１の前壁部２１２に設けられている。本実施の形態の第１操作部２６１および第２操作部２６２は、前壁部２１２の左右方向の一端部（右端部）に設けられている。
【００６２】
（第１操作部）
本実施の形態の第１操作部２６１は、一つの釦で構成されている。第１操作部２６１は、前壁部２１２の下部に設けられている。第１操作部２６１は、送風口２４と同じ高さに設けられている。図１に示すように、第１操作部２６１はミラーパネル１１よりも下方に位置している。このため、第１操作部２６１は、ミラーパネル１１によって覆われず、前方に露出している。
【００６３】
（第２操作部）
本実施の形態の第２操作部２６２は、一つの釦で構成されている。第２操作部２６２は、前壁部２１２の上部に設けられており、第１操作部２６１よりも上方に位置している。第２操作部２６２は、図１に示すように、ミラーパネル１１の突出部１３の後方に位置しており、第２操作部２６２の前側は、突出部１３によって覆われている。詳しくは、第２操作部２６２の前側は、突出部１３の右端部（ミラーパネル１１の回転中心側とは反対側の端部）によって覆われている。
【００６４】
第２操作部２６２は、ミラーパネル１１を開いた状態において操作可能である。利用者により第２操作部２６２が操作されることで、送風機２２の送風量が「弱」、「中」、「強」のいずれかに設定される。送風機２２の送風量は、送風機２２の回転数が変えられることで、変更される。
【００６５】
（動作方法）
送風装置２０の動作方法について、具体的に説明する。
【００６６】
送風装置２０の運転が開始されると、送風機２２によって、カウンター３２上方の空気が吸気口２３から通気路内に吸い込まれ、この空気が送風口２４から吹き出される。
【００６７】
送風装置２０の運転操作や送風機２２の送風量操作は、第１操作部２６１及び第２操作部２６２を用いて変更させる。また、送風装置２０の送風口２４から吹き出される風の向きは、羽板２４１を操作部材２４２を用いて操作することで変更させることができる。
【００６８】
送風装置２０の運転が開始されると、送風機２２によって、洗面化粧台２に設けられたカウンター３２の上方、特に洗面ボウル部３３の上方の空気が吸気口２３から通気路内に吸い込まれ、この空気が送風口２４からケース２１の前方に吹き出される。
【００６９】
このように、収納キャビネット１０とカウンター３２との間に設けられ、収納キャビネット１０の下方のみのスペースで、送風装置２０を施工することができ、省スペースで送風を行うことができる。また、収納キャビネット１０の下方に送風装置２０が設けられることにより、利用者は、マニキュアを乾かしたり手を乾燥させたりすることができる。
【００７０】
吸気口２３には、脱臭フィルタ２５が設けられ、吸い込まれる空気に含まれる臭気は、脱臭フィルタ２５を通ことで脱臭される。脱臭された空気が、通気路を通り、送風口２４からミラーパネル１１より前方へ送風される。
【００７１】
これにより、洗面化粧台２に設けられたカウンター３２の上方、特に洗面ボウル部３３の上方の空気を脱臭フィルタ２５によって臭気を捕捉してから送風されるので、洗面ボウル部３３に設けられた排水口３５から発生した臭気が含まれていても、送風装置２０から吹き出された空気の臭いを気にすることなく使用することができる。
【００７２】
上記により、利用者は、送風装置２０からの空気の風向きを変更し、送風口２４から吹き出された空気を顔に当てながら、化粧を行う構成としても、吹き出された空気の臭気を気にすることなく、快適に利用することができる。
【００７３】
（変形例）
送風装置２０のケース２１は、上端に近い部分ほど後方に位置するように傾斜する形状としたが、ケース２１の形状は上記実施の形態に限られるものではなく、図５に示されるように、直方体形状であってもよい。
【００７４】
このとき、吸気口２３は、ケース２１の底壁部２１３に設けられ、下方から空気を吸い込むことができる構成である。
【００７５】
ミラーパネル１１は、下端部が収納キャビネット１０よりも下方へ突出した突出部１３を有するものであるとしたが、下端部と収納キャビネット１０の下面とが同じ位置に設けられていてもよい。
【００７６】
また、ミラーパネル１１は、複数枚の鏡扉で構成され、両開き式に開閉できる構成であってもよい。
【００７７】
収納キャビネット１０は、ミラーパネル１１を支持できるものであれば、形態はこれに本実施の形態に限られず、照明装置１４の配置や有無などは適宜設計変更できるものである。
【００７８】
送風装置２０の運転操作や送風機２２の送風量操作については、上記実施の形態では、第１操作部２６１及び第２操作部２６２を用いて操作するものとしたが、これに限られるものではなく、送風装置２０の操作方法は、適宜操作できるものであれば形態は問わない。
【００７９】
吸気口２３及び送風口２４は、収納キャビネット１０の下端に沿った横長形状であれば、形状は本実施の形態に限るものではなくが、矩形形状であることが好ましい。
【００８０】
（効果）
上述のように、上記実施の形態におけるミラーキャビネット１は、前面が開口した箱型の収納キャビネット１０と、収納キャビネット１０の開口した前面を開閉するミラーパネル１１と、収納キャビネット１０の下端に設けられた送風装置２０とを備え、洗面ボウル部３３を有するカウンター３２の上方に設けられるミラーキャビネット１であって、送風装置２０は、洗面ボウル部３３からの臭気を含む空気が下方から吸い込まれる吸気口２３と、吸い込まれた空気を前方へと吹き出す送風口２４と、吸い込まれた空気の臭気を捕捉する脱臭フィルタ２５と、を有する。
【００８１】
これにより、省スペースで施工することができ、かつ臭気を抑制し、空気を快適に室内側へ送り込むことができる。
【００８２】
また、ミラーパネル１１の下端部は、収納キャビネット１０の下端よりも下方に突出し、送風装置２０は、ミラーパネル１１の下端部よりも後ろ側に設けられることが好ましい。
【００８３】
これにより、鏡としての面積を確保することができ、かつ送風装置２０をミラーパネル１１により隠すことができるので、前方からの見栄えを良くすることができる。
【００８４】
また、送風口２４は、吸い込まれた空気を斜め下方に傾斜する前方へ吹き出すものであることが好ましい。
【００８５】
これにより、送風装置２０から送風される空気によって、マニキュアを乾かしたり、手を乾かしたり、手元作業がしやすくなる。
【００８６】
また、変形例に示すように、送風装置２０は、収納キャビネット１０の下端に設けられるケース２１と、ケース２１の内部に設けられる送風機２２と、を有し、ケース２１の後面は、下端から上端へ後方に傾斜した形状であり、吸気口２３は、ケース２１の後面に開口して形成され、送風口２４は、ケース２１の前面に開口して形成され、空気は、送風機２２により吸気口２３からケース２１の内部に吸い込まれ、送風口２４からケース２１の外へ吹き出される。
【００８７】
また、送風装置２０は、収納キャビネット１０の下端に設けられるケース２１と、ケース２１の内部に設けられる送風機２２と、を有し、吸気口２３は、ケース２１の下面に開口して形成され、送風口２４は、ケース２１の前面に開口して形成され、空気は、送風機２２により吸気口２３からケース２１の内部に吸い込まれ、送風口２４からケース２１の外へ吹き出される。
【００８８】
また、ケース２１は、収納キャビネット１０の下端に沿った横長形状であり、吸気口２３及び送風口２４は、ケース２１の長手方向に沿って横長状に開口していることが好ましい。
【００８９】
また、脱臭フィルタ２５は、吸気口２３に設けられることが好ましい。
【００９０】
これにより、カウンター３２の上方、特に洗面ボウル部３３に設けられた排水口３５からの臭気を含んだ空気を積極的に取り込みやすくなり、送風口２４から吹き出す空気の臭いを抑制しやすくすることができる。
【００９１】
上記実施の形態における洗面化粧台２は、上記のミラーキャビネット１と、洗面ボウル部３３を有するカウンター３２とを備える。
【００９２】
これにより、省スペースで施工することができ、かつ臭気を抑制し、空気を快適に室内側へ送り込むことができる。
【符号の説明】
【００９３】
１  ミラーキャビネット
２  洗面化粧台
１０  収納キャビネット
１１  ミラーパネル
２０  送風装置
２３  吸気口
２４  送風口
２５  脱臭フィルタ
３２  カウンター
３３  洗面ボウル部
【図１】
2018068796.tif 000003
【図２】
2018068796.tif 000004
【図３】
2018068796.tif 000005
【図４】
2018068796.tif 000006
【図５】
2018068796.tif 000007